(57)【特許請求の範囲】
【請求項１】
ガラス支持枠１９裏側の遊技盤１に図柄表示装置を備えたパチンコ機において、
前記図柄表示装置は、
前記遊技盤１の開口部１ａに合わせて装着されて遊技盤１前面に臨む開口前面に透明な窓板３を垂直状に取着した窓枠２と、
前記窓枠２の裏側に設置されたフレーム４内にほぼ水平に設置され、制御装置５により図柄群の変動表示態様が制御される液晶ディスプレイ使用の図柄表示体６と、
前記フレーム４内に内蔵され、前記図柄表示体６で表示される図柄原像に下方から補助光を照射する光源７と、
前記図柄表示体６の上方で前記窓板３の後方に所定の傾斜状態で搖動軸１１によって搖動可能に支持され、前記光源７で照射されて上方へ投射された前記図柄原像の光束１０を前向きに反射させるミラー８と、
前記ミラー８に結合された従動部材１３に対して伝動部材１４を介して連繋した出力軸を、継続的な回転と寸動状の回転とに制御して駆動する駆動モータ１７と、
前記ミラー８と前記窓板３との間の所定部位に設置され、該ミラー８で反射して前方へ投射された前記図柄原像の光束１０を透過させて、拡大して結像された図柄画像を前方位置に射影する凸レンズ１８と、
前記ガラス支持枠１９に支持された透明なガラス板１５の後面であって前記窓板３前面に対向する所要面部に形成され、前記凸レンズ１８および窓板３を透過して前方へ投射された前記図柄原像の光束１０が結像することで図柄画像が射影されるすりガラス状のスクリーン部１６とを備え、
前記ミラー８は、前記駆動モータ１７の出力軸に対して前記従動部材１３および伝動部材１４を介し連繋されて前記所定の傾斜状態位置を基準にして前後の向きに往復搖動変位可能に設置され、前記駆動モータ１７の出力軸の継続的な回転に従う該ミラー８の往復搖動による傾斜角度の無段変更と、該出力軸の寸動状の回転に従う該ミラー８の往復搖動による傾斜角度の有段変更とにより、前記図柄原像の光束１０の反射角度が大小増減条件で変更可能に設定されて、前記スクリーン部１６に写し出される各種図柄を拡大・縮小のサイズ変更して可変表示し得るようにしたことを特徴とするパチンコ機の図柄表示装置。
【発明の詳細な説明】
【０００１】
【産業上の利用分野】
この発明はパチンコ機の図柄表示装置に関する。
【０００２】
【従来の技術】
パチンコ機の遊技盤には遊技球が特定の球受け口に落入したときに図柄群を変動表示してから、図柄群のうちの１図柄を特定表示し、その特定図柄が当り図柄か外れ図柄かを判定してゲーム展開を切換える図柄表示装置が装着される。
【０００３】
【発明が解決しようとする課題】
本発明は図柄群を表示する表示態様を特異化することを課題とするものである。
【０００４】
【課題を解決するための手段】
前記課題を解決するための本発明の第１発明は、ガラス支持枠裏側の遊技盤に図柄表示装置を備えたパチンコ機において、
前記図柄表示装置は、
前記遊技盤の開口部に合わせて装着されて遊技盤前面に臨む開口前面に透明な窓板を垂直状に取着した窓枠と、
前記窓枠の裏側に設置されたフレーム内にほぼ水平に設置され、制御装置により図柄群の変動表示態様が制御される液晶ディスプレイ使用の図柄表示体と、
前記フレーム内に内蔵され、前記図柄表示体で表示される図柄原像に下方から補助光を照射する光源と、
前記図柄表示体の上方で前記窓板の後方に所定の傾斜状態で搖動軸によって搖動可能に支持され、前記光源で照射されて上方へ投射された前記図柄原像の光束を前向きに反射させるミラーと、
前記ミラーに結合された従動部材に対して伝動部材を介して連繋した出力軸を、継続的な回転と寸動状の回転とに制御して駆動する駆動モータと、
前記ミラーと前記窓板との間の所定部位に設置され、該ミラーで反射して前方へ投射された前記図柄原像の光束を透過させて、拡大して結像された図柄画像を前方位置に射影する凸レンズと、
前記ガラス支持枠に支持された透明なガラス板の後面であって前記窓板前面に対向する所要面部に形成され、前記凸レンズおよび窓板を透過して前方へ投射された前記図柄原像の光束が結像することで図柄画像が射影されるすりガラス状のスクリーン部とを備え、
前記ミラーは、前記駆動モータの出力軸に対して前記従動部材および伝動部材を介し連繋されて前記所定の傾斜状態位置を基準にして前後の向きに往復搖動変位可能に設置され、前記駆動モータの出力軸の継続的な回転に従う該ミラーの往復搖動による傾斜角度の無段変更と、該出力軸の寸動状の回転に従う該ミラーの往復搖動による傾斜角度の有段変更とにより、前記図柄原像の光束の反射角度が大小増減条件で変更可能に設定されて、前記スクリーン部に写し出される各種図柄を拡大・縮小のサイズ変更して可変表示し得るようにした構成を有する。
【０００５】
本発明の第２発明は、第１発明の構成において、前記スクリーン部を前記透明板に貼着されてこの透明板の一部をすりガラス状にするフィルム片によって形成した構成を有する。
【０００６】
【作用】
本発明の第１発明では、図柄表示体が表示する図柄原像を拡大した図柄画像が遊技盤の前方に立設された透明板のスクリーン部で表示される。そして、駆動モータによりミラーが往復搖動すると、ミラーで反射して前方へ投射された図柄原像の光束が往復移動する。
【０００７】
本発明の第２発明では、透明板に貼着されて透明板の一部をすりガラス状にするフィルム片によって形成されたスクリーン部に図柄画像が写し出される。
【０００８】
【発明の効果】
本発明の第１発明によれば、図柄画像をこの図柄画像が遊技盤面から浮き上って空中に浮んだ状態でスクリーン部に写し出すことができ、図柄の表示態様を特異化して表示図柄に対する興趣を引起すことができる。
また、ミラーの傾斜角度を増減することにより、図柄原像の光束を反射させる反射角度を調整することができる。
【０００９】
また、遊技盤面をカバーする透明板を有効活用して大きな図柄画像を顕示することができるとともに、透明板を透明板支持枠に組付けるだけでスクリーン部を所定位置に容易にセットすることができる。
【００１０】
本発明の第２発明によれば、スクリーン部を透明板の任意の位置に容易に設置することができるとともに、スクリーン部の大きさや形状や色彩を任意に選定することができる。
【００１１】
【実施例】
次に、本発明の１実施例を図面にしたがって説明する。
パチンコ機の遊技盤１に装着された図柄表示装置において、遊技盤１の開口部１ａ内にはこの開口部１ａの開口縁に固定された窓枠２によって周縁部が把持された透明な窓板３が垂直状に設置されている。
【００１２】
窓枠２に結合されたフレーム４内の下部には１組乃至複数組の図柄群の変動表示が可能で制御装置５によって図柄群の変動表示態様が制御される図柄表示体６が設置され、本例では図柄表示体６として液晶ディスプレイが使用されている。
【００１３】
図柄表示体６の下方には図柄表示体６によって表示される図柄原像に下方から補助光を照射する光源７が設置されている。
【００１４】
図柄表示体６の上方で窓板３の後方には光源７によって照射されて上方へ投射された図柄原像の光束１０を前方へ反射させるミラー８が傾斜状態（図１中、約４５゜の傾斜位置で例示される。）で搖動動作可能に設置されている。
【００１５】
ミラー８の下端には搖動軸１１によって搖動可能に支持された軸挿部材１２が結合され、ミラー８の上端には横長状のガイド孔１３ａを有する従動部材１３が結合されている。
【００１６】
従動部材１３の側方に設置されたミラー駆動モータ１７の出力軸には従動部材１３のガイド孔１３ａ内に挿入された偏心ピン１４ａを有する伝動部材１４が固定されている。
【００１７】
ミラー駆動モータ１７の出力軸が継続的に回転すると、従動部材１３が伝動部材１４の偏心ピン１４ａの偏心回転によって繰返し往復円弧移動してミラー８が繰返し往復搖動し、ミラー８で反射して前方へ投射された図柄原像の光束１０が上下方向へ繰返し往復移動する。
【００１８】
ミラー駆動モータ１７の出力軸が寸動状に回転すると、ミラー８の傾斜角度が増減してミラー８が図柄原像の光束１０を反射させる反射角度が調整される。
【００１９】
ミラー８と窓板３との間にはミラー８で反射して前方へ投射された図柄原像の光束１０を透過させ、拡大して結像された図柄画像を前方位置に射影する凸レンズ１８が設置されている。
【００２０】
遊技盤１の前方には透明板支持枠１９の枠内に嵌め込まれて遊技盤１をカバーする前後１対の透明板（ガラス板）１５が垂直状に設置され、この両透明板１５のうちの後側の透明板１５の後面には凸レンズ１８および窓板３を透過して前方へ投射された図柄原像の光束１０が結像した図柄画像が射影されるスクリーン部１６がすりガラス状に形成され、このスクリーン部１６には図柄表示体６の図柄原像を凸レンズ１８によって拡大した図柄画像が写し出される。
【００２１】
スクリーン部１６は不透明乃至半透明で透明板１５の一部をすりガラス状にするフィルム片を透明板１５に貼着することによって形成される。
【００２２】
但し、透明板１５の一部を粗面化してすりガラス状のスクリーン部１６を形成してもよい。
【００２３】
図柄表示体６は、例えば４組の図柄を変動表示し、遊技球が例えば遊技盤面の始動口に入賞した時点で各組の図柄群の変動表示を一斉に開始する。
【００２４】
図柄表示体６が各組の図柄群の変動表示を開始すると、変動表示している各組の図柄群の各図柄原像をそれぞれ拡大した４組の図柄画像がスクリーン部１６に写し出されて各組の図柄画像群がスクリーン部１６でそれぞれ変動表示される。
【００２５】
図柄表示体６が４組の図柄の変動表示を開始してから所定時間経過すると、図柄表示体６が各組の図柄群の変動表示を順次停止し、各組の図柄群の変動表示停止時に特定された４つの特定図柄の各図柄原像を拡大した４つの特定図柄画像が横一列に並んでスクリーン部１６に写し出される。
【００２６】
スクリーン部１６に写し出された４つの特定図柄画像の組合わせが当りとなる組合わせと判定された場合には遊技盤面の大入賞口が例えば３０秒間開放され、４つの特定図柄画像の組合わせが外れとなる組合わせと判定された場合には大入賞口が開放されない。
【００２７】
大入賞口に入賞した入賞球が特定領域を通過すると、大入賞口が再び３０秒間開放される。
【００２８】
続いて、上記した構成を有する実施例の作用と効果を説明する。
本例では、遊技盤１の前方に立設された透明板１５には図柄表示体６が表示する図柄原像を拡大した図柄画像を写し出すスクリーン部１６を形成し、このスクリーン部１６を前記透明板１５に貼着されてこの透明板１５の一部をすりガラス状にするフィルム片によって形成してある。
【００２９】
このため、図柄画像をこの図柄画像が遊技盤面から浮き上って空中に浮んだ状態でスクリーン部１６に写し出すことができ、図柄の表示態様を特異化して表示図柄に対する興趣を引起すことができる。
【００３０】
また、遊技盤面をカバーする透明板１５を有効活用して大きな図柄画像を顕示することができ、従来の図柄画像表示部が占めていたスペースを実質的に削除することができるとともに、透明板１５を透明板支持枠１９に組付けるだけでスクリーン部１６を所定位置に容易にセットすることができる。
【００３１】
さらに、透明板１５にフィルム片を貼着してスクリーン部１６を形成してあるので、スクリーン部１６を透明板１５の任意の位置に容易に設置することができるとともに、スクリーン部１６の大きさや形状や色彩を任意に選定することができる。
【図面の簡単な説明】
【図１】本発明の１実施例を示す図柄表示装置の側面図である。
【符号の説明】
１  遊技盤
６  図柄表示体
１５  透明板
１６  スクリーン部
【図１】
0004001188.tif 000002